(57)【要約】【課題】外出先から自動応答メッセージを自由に設定することができるとともに、音声通話および電子メールの双方の着信に対して自動応答することができる携帯電話の自動応答システムを提供する。【解決手段】ユーザＡは、自身の携帯電話１を自宅に置き忘れた場合、外出先のＰＣ２ａから携帯電話１に対し、自動応答メッセージの文章を電子メールで送信する。ユーザＡの携帯電話１は、ＰＣ２ａから電子メールで送信されてきた文章を自動応答メッセージとして設定し、自動応答メッセージを本文とした自動返信メールの文章を作成し、自動応答モードに移行する。ここで、ユーザＢがユーザＡの携帯電話１に対して電話を掛けたか、または電子メールを送信した場合、ユーザＡの携帯電話１は、ユーザＢの電子メールアドレスが登録されていれば、自動応答メッセージを本文とした自動返信メールを自動返信する。【選択図】      図３
2004260416.tif 000002
【特許請求の範囲】
【請求項１】
携帯電話の自動応答システムにおいて、
前記携帯電話に設定する自動応答メッセージの文章を電子メールで前記携帯電話に送信し、前記携帯電話を自動応答モードに設定するメッセージ設定手段を有し、
前記携帯電話は、前記メッセージ設定手段から電子メールで送信されてきた文章を前記自動応答メッセージとして設定し、前記自動応答モードに移行することを特徴とする携帯電話の自動応答システム。
【請求項２】
前記携帯電話は、前記メッセージ設定手段から電子メールで送信されてきた文章を前記自動応答メッセージとして設定し、当該自動応答メッセージを本文とした自動返信メールの文章を作成して記憶手段に登録し、前記自動応答モードでの電子メールまたは音声通話の着信時に、当該電子メールまたは当該音声通話の発信者に対して前記記憶手段に文章が登録されている前記自動返信メールを自動返信する、請求項１に記載の携帯電話の自動応答システム。
【請求項３】
前記携帯電話は、前記自動応答モードでの電子メールまたは音声通話の着信時に、当該電子メールまたは当該音声通話の発信者の電子メールアドレスが前記記憶手段に予め登録されている場合にのみ、当該電子メールまたは当該音声通話の発信者に対して前記記憶手段に文章が登録されている前記自動返信メールを自動返信する、請求項２に記載の携帯電話の自動応答システム。
【請求項４】
前記携帯電話は、前記メッセージ設定手段から電子メールで送信されてきた文章を前記自動応答メッセージとして設定し、当該自動応答メッセージを本文とした自動返信メールの文章を作成して記憶手段に登録するとともに、前記メッセージ設定手段から電子メールで送信されてきた文章を音声合成し、音声合成した文章を本文としたものを音声の前記自動応答メッセージとして設定して前記記憶手段に登録し、前記自動応答モードでの電子メールの着信時に、当該電子メールの発信者に対して前記記憶手段に文章が登録されている前記自動返信メールを自動返信し、前記自動応答モードでの音声通話の着信時に、当該音声通話の発信者に対して前記記憶手段に登録されている音声の前記自動応答メッセージを流す、請求項１に記載の携帯電話の自動応答システム。
【請求項５】
前記携帯電話は、前記自動応答モードでの電子メールの着信時に、当該電子メールの発信者の電子メールアドレスが前記記憶手段に予め登録されている場合にのみ、当該電子メールの発信者に対して前記記憶手段に文章が登録されている前記自動返信メールを自動返信し、前記自動応答モードでの音声通話の着信時に、当該音声通話の発信者の電子メールアドレスが前記記憶手段に予め登録されている場合にのみ、当該音声通話の発信者に対して前記記憶手段に登録されている音声の前記自動応答メッセージを流す、請求項４に記載の携帯電話の自動応答システム。
【請求項６】
携帯電話の自動応答システムにおいて、
前記携帯電話に設定する自動応答メッセージの文章を電話による音声で前記携帯電話に通知し、前記携帯電話を自動応答モードに設定するメッセージ設定手段を有し、
前記携帯電話は、前記メッセージ設定手段から音声で通知された文章を前記自動応答メッセージとして設定し、前記自動応答モードに移行することを特徴とする携帯電話の自動応答システム。
【請求項７】
前記携帯電話は、前記メッセージ設定手段から音声で通知された文章を音声認識し、音声認識した文章を前記自動応答メッセージとして設定し、当該自動応答メッセージを本文とした自動返信メールの文章を作成して記憶手段に登録し、前記自動応答モードでの電子メールまたは音声通話の着信時に、当該電子メールまたは当該音声通話の発信者に対して前記記憶手段に文章が登録されている前記自動返信メールを自動返信する、請求項６に記載の携帯電話の自動応答システム。
【請求項８】
前記携帯電話は、前記自動応答モードでの電子メールまたは音声通話の着信時に、当該電子メールまたは当該音声通話の発信者の電子メールアドレスが前記記憶手段に予め登録されている場合にのみ、当該電子メールまたは当該音声通話の発信者に対して前記記憶手段に文章が登録されている前記自動返信メールを自動返信する、請求項７に記載の携帯電話の自動応答システム。
【請求項９】
前記携帯電話は、前記メッセージ設定手段から音声で通知された文章を音声認識し、音声認識した文章を前記自動応答メッセージとして設定し、当該自動応答メッセージを本文とした自動返信メールの文章を作成して記憶手段に登録するとともに、前記メッセージ設定手段から音声で通知された文章を本文としたものを音声の前記自動応答メッセージとして設定して前記記憶手段に登録し、前記自動応答モードでの電子メールの着信時に、当該電子メールの発信者に対して前記記憶手段に文章が登録されている前記自動返信メールを自動返信し、前記自動応答モードでの音声通話の着信時に、当該音声通話の発信者に対して前記記憶手段に登録されている音声の前記自動応答メッセージを流す、請求項６に記載の携帯電話の自動応答システム。
【請求項１０】
前記携帯電話は、前記自動応答モードでの電子メールの着信時に、当該電子メールの発信者の電子メールアドレスが前記記憶手段に予め登録されている場合にのみ、当該電子メールの発信者に対して前記記憶手段に文章が登録されている前記自動返信メールを自動返信し、前記自動応答モードでの音声通話の着信時に、当該音声通話の発信者の電子メールアドレスが前記記憶手段に予め登録されている場合にのみ、当該音声通話の発信者に対して前記記憶手段に登録されている音声の前記自動応答メッセージを流す、請求項９に記載の携帯電話の自動応答システム。
【発明の詳細な説明】
【０００１】
【発明の属する技術分野】
本発明は、自動応答メッセージにより自動応答する機能を備えた携帯電話の自動応答システムに関する。
【０００２】
【従来の技術】
従来、携帯電話には、自携帯端末宛の着信に対してユーザが応答できない状態にある場合、その着信に対して自動応答メッセージにより自動応答する機能が一般に備えられている（例えば、特許文献１参照）。
【０００３】
【特許文献１】
特開２００２−２７１４８３号公報
【０００４】
【発明が解決しようとする課題】
しかしながら、特許文献１に開示された従来技術においては、以下に記載するような問題点があった。
【０００５】
第１の問題点は、自動応答メッセージを予め設定しておけば、その自動応答メッセージを使用することは可能であるが、自動応答メッセージを外出先から自由に変更することはできないということである。
【０００６】
そのため、自宅等に携帯電話を置き忘れた場合、電話をかけてきた発信者に対して現在の状況を連絡することができなかった。また、電話をかけてきた発信者との連絡がつかなくて困るだけでなく、発信者にも迷惑がかかっていた。
【０００７】
第２の問題点は、音声通話（電話）の着信に対しては自動応答メッセージにより自動応答するように対応しているが、電子メールの着信に対しては何の対応もなされていないということである。
【０００８】
現在、ほとんどの携帯電話には、電子メール機能が備えられているため、今後は、音声通話の着信だけでなく、電子メールの着信に対しても自動応答メッセージにより自動応答する機能が必要になってくると考えられる。
【０００９】
そこで、本発明の目的は、外出先から自動応答メッセージを自由に設定することができるとともに、音声通話および電子メールの双方の着信に対して自動応答メッセージにより自動応答することができる携帯電話の自動応答システムを提供することにある。
【００１０】
【課題を解決するための手段】
上記目的を達成するために本発明の一態様の携帯電話の自動応答システムは、前記携帯電話に設定する自動応答メッセージの文章を電子メールで前記携帯電話に送信し、前記携帯電話を自動応答モードに設定するメッセージ設定手段を有し、前記携帯電話は、前記メッセージ設定手段から電子メールで送信されてきた文章を前記自動応答メッセージとして設定し、前記自動応答モードに移行することを特徴とするものである。
【００１１】
したがって、携帯電話を自宅等に置き忘れた場合にも、外出先から自動応答メッセージを自由に設定することが可能となる。
【００１２】
さらに、次のような構成とすることで、音声通話だけでなく電子メールの着信に対しても自動応答メッセージにより自動応答することが可能となる。
【００１３】
例えば、前記携帯電話は、前記メッセージ設定手段から電子メールで送信されてきた文章を前記自動応答メッセージとして設定し、当該自動応答メッセージを本文とした自動返信メールの文章を作成して記憶手段に登録し、前記自動応答モードでの電子メールまたは音声通話の着信時に、当該電子メールまたは当該音声通話の発信者に対して前記記憶手段に文章が登録されている前記自動返信メールを自動返信することとしても良い。
【００１４】
この場合、前記携帯電話は、前記自動応答モードでの電子メールまたは音声通話の着信時に、当該電子メールまたは当該音声通話の発信者の電子メールアドレスが前記記憶手段に予め登録されている場合にのみ、当該電子メールまたは当該音声通話の発信者に対して前記記憶手段に文章が登録されている前記自動返信メールを自動返信することとしても良い。
【００１５】
あるいは、前記携帯電話は、前記メッセージ設定手段から電子メールで送信されてきた文章を前記自動応答メッセージとして設定し、当該自動応答メッセージを本文とした自動返信メールの文章を作成して記憶手段に登録するとともに、前記メッセージ設定手段から電子メールで送信されてきた文章を音声合成し、音声合成した文章を本文としたものを音声の前記自動応答メッセージとして設定して前記記憶手段に登録し、前記自動応答モードでの電子メールの着信時に、当該電子メールの発信者に対して前記記憶手段に文章が登録されている前記自動返信メールを自動返信し、前記自動応答モードでの音声通話の着信時に、当該音声通話の発信者に対して前記記憶手段に登録されている音声の前記自動応答メッセージを流すこととしても良い。
【００１６】
この場合、前記携帯電話は、前記自動応答モードでの電子メールの着信時に、当該電子メールの発信者の電子メールアドレスが前記記憶手段に予め登録されている場合にのみ、当該電子メールの発信者に対して前記記憶手段に文章が登録されている前記自動返信メールを自動返信し、前記自動応答モードでの音声通話の着信時に、当該音声通話の発信者の電子メールアドレスが前記記憶手段に予め登録されている場合にのみ、当該音声通話の発信者に対して前記記憶手段に登録されている音声の前記自動応答メッセージを流すこととしても良い。
【００１７】
上記目的を達成するために本発明の他の態様の携帯電話の自動応答システムは、前記携帯電話に設定する自動応答メッセージの文章を電話による音声で前記携帯電話に通知し、前記携帯電話を自動応答モードに設定するメッセージ設定手段を有し、前記携帯電話は、前記メッセージ設定手段から音声で通知された文章を前記自動応答メッセージとして設定し、前記自動応答モードに移行することを特徴とするものである。
【００１８】
したがって、携帯電話を自宅等に置き忘れた場合にも、外出先から自動応答メッセージを自由に設定することが可能となる。
【００１９】
さらに、次のような構成とすることで、音声通話だけでなく電子メールの着信に対しても自動応答メッセージにより自動応答することが可能となる。
【００２０】
例えば、前記携帯電話は、前記メッセージ設定手段から音声で通知された文章を音声認識し、音声認識した文章を前記自動応答メッセージとして設定し、当該自動応答メッセージを本文とした自動返信メールの文章を作成して記憶手段に登録し、前記自動応答モードでの電子メールまたは音声通話の着信時に、当該電子メールまたは当該音声通話の発信者に対して前記記憶手段に文章が登録されている前記自動返信メールを自動返信することとしても良い。
【００２１】
この場合、前記携帯電話は、前記自動応答モードでの電子メールまたは音声通話の着信時に、当該電子メールまたは当該音声通話の発信者の電子メールアドレスが前記記憶手段に予め登録されている場合にのみ、当該電子メールまたは当該音声通話の発信者に対して前記記憶手段に文章が登録されている前記自動返信メールを自動返信することとしても良い。
【００２２】
あるいは、前記携帯電話は、前記メッセージ設定手段から音声で通知された文章を音声認識し、音声認識した文章を前記自動応答メッセージとして設定し、当該自動応答メッセージを本文とした自動返信メールの文章を作成して記憶手段に登録するとともに、前記メッセージ設定手段から音声で通知された文章を本文としたものを音声の前記自動応答メッセージとして設定して前記記憶手段に登録し、前記自動応答モードでの電子メールの着信時に、当該電子メールの発信者に対して前記記憶手段に文章が登録されている前記自動返信メールを自動返信し、前記自動応答モードでの音声通話の着信時に、当該音声通話の発信者に対して前記記憶手段に登録されている音声の前記自動応答メッセージを流すこととしても良い。
【００２３】
この場合、前記携帯電話は、前記自動応答モードでの電子メールの着信時に、当該電子メールの発信者の電子メールアドレスが前記記憶手段に予め登録されている場合にのみ、当該電子メールの発信者に対して前記記憶手段に文章が登録されている前記自動返信メールを自動返信し、前記自動応答モードでの音声通話の着信時に、当該音声通話の発信者の電子メールアドレスが前記記憶手段に予め登録されている場合にのみ、当該音声通話の発信者に対して前記記憶手段に登録されている音声の前記自動応答メッセージを流すこととしても良い。
【００２４】
【発明の実施の形態】
以下に、本発明の実施の形態について図面を参照して説明する。
【００２５】
（第１の実施形態）
図１は、本発明の携帯電話の自動応答システムの構成を示す図である。
【００２６】
図１に示すように本発明の携帯電話の自動応答システムは、携帯電話１と、携帯電話１に設定する自動応答メッセージの文章を電子メールで送信するかまたは電話による音声で通知し、携帯電話１を自動応答モードに設定するメッセージ設定部２とを有しており、携帯電話１は、メッセージ設定部２からの文章を自動応答メッセージとして設定し、自動応答モードに移行する。
【００２７】
なお、メッセージ設定部２としては、パーソナルコンピュータ（以下、ＰＣと称する）２ａ、携帯電話２ｂ、固定電話２ｃ等が代表的なものとして挙げられるが、これらに限定されることはなく、電子メール機能、電話機能のいずれか１つの機能を備えたものであればいかなるものであっても良い。
【００２８】
図２は、本発明に係る携帯電話１の構成を示すブロック図である。
【００２９】
図２に示すように携帯電話１は、アンテナ（ＡＮＴ）１０１と、無線部（ＴＲＸ）１０２と、カラーＬＣＤ１１１と、カラーＬＣＤ１１１を駆動するＬＣＤドライバ１１０と、プログラムが書き込まれたＲＯＭ１０８と、電話帳、電子メールデータ、パスワードなどを一時的に記憶するＲＡＭ１０９と、電話番号や電子メールの文章を入力するためのキースイッチ１０４と、受話のためのレシーバ１０６と、送話のためのマイク１０５と、着信があった時にユーザを呼び出す報知用スピーカ１０７と、これらを制御する制御部１０３とを有している。なお、制御部１０３には、音声認識／音声合成部１１２が含まれている。
【００３０】
以下に、本実施形態の携帯電話の自動応答システムの動作について説明する。
［本実施形態の概略動作］
最初に、本実施形態の携帯電話の自動応答システムの概略動作について、図３のイメージ図を参照して説明する。なお、図３は、メッセージ設定部２としてのＰＣ２ａが携帯電話１に対して、携帯電話１に設定する自動応答メッセージの文章を電子メールで送信し、自動応答モードに設定する場合の動作を示している。
▲１▼ユーザＡは、自身の携帯電話１を自宅に置き忘れた場合、外出先のＰＣ２ａから携帯電話１に対し、電子メール本文中に、自動応答モードの設定および自動応答モードでの着信に対する自動返信メールに記述する自動応答メッセージの文章の設定を指示するコード（図３では“＠＠１”）と、パスワード（図３では“ｘｘｘｘ”）と、自動応答メッセージとして設定するメッセージ文章（図３ではパスワード“ｘｘｘｘ”に続くメッセージ欄に記述されているもの）を記述した電子メールを送信し、携帯電話１を自動応答モードに設定する。
【００３１】
すると、ユーザＡの携帯電話１においては、電子メール本文中に記述されたパスワードが、ユーザＡによりＲＡＭ１０９に予め登録されたパスワードに一致していること等を条件にして、電子メール本文中に記述されたメッセージ文章を自動応答メッセージとして設定し、その自動応答メッセージを本文とした自動返信メールの文章を作成し、自動応答モードに移行する。
▲２▼ここで、ユーザＢがユーザＡの携帯電話１に対して電話を掛けたか、または電子メールを送信したと仮定する。
▲３▼ユーザＡの携帯電話１においては、ユーザＢの電子メールアドレスがＲＡＭ１０９の電話帳に登録されていれば、ユーザＢの携帯電話に対して、自動応答メッセージを本文とした自動返信メールを自動返信する。
［本実施形態の詳細動作］
本実施形態の携帯電話の自動応答システムの動作は、自動応答モードの設定時（図３の▲１▼に相当）の動作と、自動応答モードの解除時の動作と、自動応答モードでの着信時（図３の▲２▼、▲３▼に相当）の動作との３つに大きく分けられる。
［自動応答モードの設定時の詳細動作］
最初に、自動応答モードの設定時の動作について、図４および図５のフローチャートを参照して説明する。
【００３２】
まず、携帯電話１に対し、自動応答モードでの着信に対する自動返信メールに記述する自動応答メッセージの文章を電子メールで送信し、自動応答モードに設定する場合の動作について、図４のフローチャートを参照して説明する。この場合、ユーザは、電子メール機能を備えたメッセージ設定部２から携帯電話１に対して、電子メール本文中に、自動応答モードの設定および自動応答モードでの着信に対する自動返信メールに記述する自動応答メッセージの文章の設定を指示するコード“＠＠１”、パスワード“ｘｘｘｘ”、自動応答メッセージとして設定するメッセージ文章“ｚｚｚｚ”を記述した電子メールを送信することになる。
【００３３】
まず、携帯電話１の制御部１０３では、アンテナ１０１を介して無線部１０２に着信があった場合（ステップ４０１）、その着信が電子メール着信であるか判断する（ステップ４０２）。電子メール着信でないと判断した場合、後述する図８のステップ８０９の処理に移行する。なお、ステップ４０２の電子メール着信か音声通話着信かの判別方法については、ステップ４０１で着信した情報に含まれる情報を元に公知の方法を用いて判別することができるが、この部分は本発明の本質的な部分ではないため、説明は割愛する。
【００３４】
制御部１０３では、ステップ４０２で電子メール着信であると判断した場合、後述する図８のステップ８０３〜８０８の処理に移行する。そして、図８のステップ８０３〜８０８の処理が終了すると、以降、電子メールの本文中の記述内容に基づいて以下の処理を行う。
【００３５】
制御部１０３では、電子メール本文中に、コード“＠＠１”と、それに続くパスワード“ｘｘｘｘ”とが記述されているか判断する（ステップ４０３）。コード“＠＠１”およびパスワード“ｘｘｘｘ”が記述されていないと判断した場合は処理を終了する。
【００３６】
制御部１０３では、ステップ４０３で電子メール本文中にコード“＠＠１”およびパスワード“ｘｘｘｘ”が記述されていると判断した場合、電子メール本文中に記述されているパスワード“ｘｘｘｘ”と、ユーザがキー操作などによりＲＡＭ１０９に予め登録してあったパスワードとを照合する（ステップ４０４）。照合が不一致である場合は処理を終了する。
【００３７】
制御部１０３では、ステップ４０４で照合が一致していると判断した場合、マナーモードを一時解除する（ステップ４０５）。
【００３８】
次に、制御部１０３では、電子メール本文中のパスワード“ｘｘｘｘ”に続くメッセージ欄に、メッセージ文章“ｚｚｚｚ”が記述されているか判断する（ステップ４０６）。
【００３９】
制御部１０３では、ステップ４０６で電子メール本文中のメッセージ欄にメッセージ文章“ｚｚｚｚ”が記述されていると判断した場合、電子メール本文中に記述されているメッセージ文章“ｚｚｚｚ”を自動応答メッセージとして設定し、その自動応答メッセージを本文とした自動返信メールの文章を作成してＲＡＭ１０９に登録し、自動応答モードに移行する（ステップ４０７）。
【００４０】
また、制御部１０３では、ステップ４０６で電子メール本文中のメッセージ欄にメッセージが記述されていないと判断した場合、ＲＡＭ１０９に予め登録されているデフォルトのメッセージ文章を自動応答メッセージとして設定し、その自動応答メッセージの本文を自動返信メールの文章とし、自動応答モードに移行する（ステップ４０８）。例えば、携帯電話１を置き忘れたという文章をデフォルトのメッセージ文章として用意しておく。
【００４１】
その後、制御部１０３では、マナーモードを再設定し（ステップ４０９）、処理を終了する。
【００４２】
続いて、携帯電話１に対し、自動応答モードでの着信に対する自動返信メールに記述する自動応答メッセージの文章を電話による音声で通知し、自動応答モードに設定する場合の動作について、図５のフローチャートを参照して説明する。この場合、ユーザは、電話機能を備えたメッセージ設定部２から携帯電話１に電話をかけ、着信になった後、携帯電話１が保留モードに移行した時に、自動応答モードの設定および自動応答モードでの着信に対する自動返信メールに記述する自動応答メッセージの文章の設定を指示するコード“ａａ１”、パスワード“ｘｘｘｘ”、自動応答メッセージとして設定するメッセージ文章“ｚｚｚｚ”を話すことになる。
【００４３】
まず、携帯電話１の制御部１０３では、アンテナ１０１を介して無線部１０２に着信があった場合（ステップ５０１）、その着信が音声通話着信であるか判断する（ステップ５０２）。音声通話着信でないと判断した場合、後述する図８のステップ８０３の処理に移行する。
【００４４】
制御部１０３では、ステップ５０２で音声通話着信であると判断した場合、後述する図８のステップ８０９〜８１５の処理に移行する。そして、図８のステップ８０９〜８１５の処理が終了すると、以降、保留モードに移行し、発信者の音声の録音内容に基づいて以下の処理を行う。
【００４５】
制御部１０３では、音声認識／音声合成部１１２により録音内容を音声認識し、コード“ａａ１”、パスワード“ｘｘｘｘ”が録音されているか判断する（ステップ５０３）。コード“ａａ１”およびパスワード“ｘｘｘｘ”が録音されていないと判断した場合は処理を終了する。
【００４６】
制御部１０３では、ステップ５０３でコード“ａａ１”およびパスワード“ｘｘｘｘ”が録音されていると判断した場合、そのパスワード“ｘｘｘｘ”と、ユーザがキー操作などによりＲＡＭ１０９に予め登録してあったパスワードとを照合する（ステップ５０４）。照合が不一致である場合は処理を終了する。
【００４７】
制御部１０３では、ステップ５０４で照合が一致していると判断した場合、マナーモードを一時解除する（ステップ５０５）。
【００４８】
次に、制御部１０３では、音声認識／音声合成部１１２によりパスワード“ｘｘｘｘ”に続いて録音されているメッセージ文章“ｚｚｚｚ”を音声認識し、音声認識したメッセージ文章“ｚｚｚｚ”を自動応答メッセージとして設定し、その自動応答メッセージを本文とした自動返信メールの文章を作成してＲＡＭ１０９に登録し、自動応答モードに移行する（ステップ５０６）。
【００４９】
その後、制御部１０３では、マナーモードを再設定し（ステップ５０７）、処理を終了する。
［自動応答モードの解除時の詳細動作］
次に、自動応答モードの解除時の動作について、図６および図７のフローチャートを参照して説明する。
【００５０】
まず、携帯電話１に対して電子メールで自動応答モードを解除する場合の動作について、図６のフローチャートを参照して説明する。この場合、ユーザは、電子メール機能を備えたメッセージ設定部２から携帯電話１に対して、自動応答モードの解除を指示するコード“＠＠２”、パスワードの“ｘｘｘｘ”を電子メール本文中に記述した電子メールを送信することになる。
【００５１】
まず、携帯電話１の制御部１０３では、アンテナ１０１を介して無線部１０２に着信があった場合（ステップ６０１）、その着信が電子メール着信であるか判断する（ステップ６０２）。電子メール着信でないと判断した場合、後述する図８のステップ８０９の処理に移行する。
【００５２】
制御部１０３では、ステップ６０２で電子メール着信であると判断した場合、後述する図８のステップ８０３〜８０８の処理に移行する。そして、図８のステップ８０３〜８０８の処理が終了すると、以降、電子メールの本文中の記述内容に基づいて以下の処理を行う。
【００５３】
制御部１０３では、電子メール本文中に、コード“＠＠２”と、それに続くパスワード“ｘｘｘｘ”とが記述されているか判断する（ステップ６０３）。コード“＠＠２”およびパスワード“ｘｘｘｘ”が記述されていないと判断した場合は処理を終了する。
【００５４】
制御部１０３では、ステップ６０３で電子メール本文中にコード“＠＠２”およびパスワード“ｘｘｘｘ”が記述されていると判断した場合、電子メール本文中に記述されているパスワード“ｘｘｘｘ”と、ユーザがキー操作などによりＲＡＭ１０９に予め登録してあったパスワードとを照合する（ステップ６０４）。照合が不一致である場合は処理を終了する。
【００５５】
制御部１０３では、ステップ６０４で照合が一致していると判断した場合、マナーモードを一時解除し（ステップ６０５）、自動応答モードを解除した後（ステップ６０６）、マナーモードを再設定し（ステップ６０７）、処理を終了する。
【００５６】
続いて、携帯電話１に対して電話による音声で自動応答モードを解除する場合の動作について、図７のフローチャートを参照して説明する。この場合、ユーザは、電話機能を備えたメッセージ設定部２から携帯電話１に電話をかけ、着信になった後、携帯電話１が保留モードに移行した時に、自動応答モードの解除を指示するコード“ａａ２”とパスワード“ｘｘｘｘ”を話すことになる。
【００５７】
まず、携帯電話１の制御部１０３では、アンテナ１０１を介して無線部１０２に着信があった場合（ステップ７０１）、その着信が音声通話着信であるか判断する（ステップ７０２）。音声通話着信でないと判断した場合、後述する図８のステップ８０３の処理に移行する。
【００５８】
制御部１０３では、ステップ７０２で音声通話着信であると判断した場合、後述する図８のステップ８０９〜８１５の処理に移行する。そして、図８のステップ８０９〜８１５の処理が終了すると、以降、保留モードに移行し、発信者の音声の録音内容に基づいて以下の処理を行う。
【００５９】
制御部１０３では、音声認識／音声合成部１１２により録音内容を音声認識し、コード“ａａ２”およびパスワード“ｘｘｘｘ”が録音されているか判断する（ステップ７０３）。コード“ａａ２”およびパスワード“ｘｘｘｘ”が録音されていないと判断した場合は処理を終了する。
【００６０】
制御部１０３では、ステップ７０３でコード“ａａ２”およびパスワード“ｘｘｘｘ”が録音されていると判断した場合、そのパスワード“ｘｘｘｘ”と、ユーザがキー操作などによりＲＡＭ１０９に予め登録してあったパスワードとを照合する（ステップ７０４）。照合が不一致である場合は処理を終了する。
【００６１】
制御部１０３では、ステップ７０４で照合が一致していると判断した場合、マナーモードを一時解除し（ステップ７０５）、自動応答モードを解除した後（ステップ７０６）、マナーモードを再設定し（ステップ７０７）、処理を終了する。
［自動応答モードでの着信時の詳細動作］
次に、自動応答モードでの着信時の動作について、図８のフローチャートを参照して説明する。
【００６２】
携帯電話１の制御部１０３では、アンテナ１０１を介して無線部１０２に着信があった場合（ステップ８０１）、その着信が電子メール着信であるか音声通話着信であるか判断する（ステップ８０２）。
【００６３】
制御部１０３では、ステップ８０２で電子メール着信であると判断した場合、自動応答モードに設定されているか判断する（ステップ８０３）。自動応答モードに設定されていないと判断した場合、通常の電子メール処理に移行し（ステップ８０４）、処理を終了する。
【００６４】
制御部１０３では、ステップ８０３で自動応答モードに設定されていると判断した場合、マナーモードを一時解除する（ステップ８０５）。
【００６５】
次に、制御部１０３では、ステップ８０１で着信した電子メールの発信者の電子メールアドレスがＲＡＭ１０９の電話帳に登録されているか判断する（ステップ８０６）。
【００６６】
制御部１０３では、ステップ８０６で電子メールの発信者の電子メールアドレスが登録されていると判断した場合、当該電子メールの発信者に対して、ＲＡＭ１０９に文章が登録されている自動返信メールを返信し（ステップ８０７）、マナーモードに再設定した後（ステップ８０８）、処理を終了する。なお、制御部１０３では、ステップ８０６で電子メールの発信者の電子メールアドレスが登録されていないと判断した場合は、自動返信メールを自動返信することなく、マナーモードに再設定した後（ステップ８０８）、処理を終了する。
【００６７】
一方、制御部１０３では、ステップ８０２で音声通話着信であると判断した場合、自動応答モードに設定されているか判断する（ステップ８０９）。自動応答モードに設定されていないと判断した場合、通常の音声通話処理に移行し（ステップ８１０）、処理を終了する。
【００６８】
制御部１０３では、ステップ８０９で自動応答モードに設定されていると判断した場合、マナーモードを一時解除する（ステップ８１１）。
【００６９】
次に、制御部１０３では、ステップ８０１で着信した音声通話の発信者の電子メールアドレスがＲＡＭ１０９の電話帳に登録されているか判断する（ステップ８１２）。
【００７０】
制御部１０３では、ステップ８１２で音声通話の発信者の電子メールアドレスが登録されていると判断した場合、当該音声通話の発信者に対して、ＲＡＭ１０９に文章が登録されている自動返信メールを自動返信する（ステップ８１３）。このとき、発信者の用件を録音することも可能であるが、自動応答メッセージとして記述した連絡先に連絡をお願いすることも可能である。
【００７１】
また、制御部１０３では、ステップ８１２で音声通話の発信者の電子メールアドレスが登録されていないと判断した場合、デフォルトの音声の自動応答メッセージを流し、発信者の用件を録音する（ステップ８１４）。
【００７２】
その後、制御部１０３では、マナーモードに再設定した後（ステップ８１５）、処理を終了する。
【００７３】
（第２の実施形態）
上述した第１の実施形態では、自動応答モードでの着信時に、電子メールの着信および音声通話の着信の双方に対して自動返信メールで自動応答している。これに対して、本実施形態では、音声通話の着信に対しては、自動返信メールではなく音声で自動応答することとする。なお、本実施形態の構成は、図１および図２に示した第１の実施形態と同様である。
【００７４】
以下に、本実施形態の携帯電話の自動応答システムの動作について説明する。なお、自動応答モードの解除時の動作については、図６および図７に示した第１の実施形態と同様であるため、説明を省略する。
【００７５】
［自動応答モードの設定時の詳細動作］
最初に、自動応答モードの設定時の動作について、図９のフローチャートを参照して説明する。なお、図９は、携帯電話１に対し、自動応答モードでの着信に対する音声の自動応答メッセージの文章を電子メールで送信し、自動応答モードに設定する場合の動作を示しており、図４のステップ４０３，４０７，４０８をステップ９０３，９０７，９０８に変更した点が図４とは異なり、それ以外は同様である。この場合、ユーザは、電子メール機能を備えたメッセージ設定部２から携帯電話１に対して、電子メール本文中に、自動応答モードの設定および自動応答モードでの着信に対する音声の自動応答メッセージの文章の設定を指示するコード“＠１１”、パスワード“ｘｘｘｘ”、自動応答メッセージとして設定するメッセージ文章“ｚｚｚｚ”を記述した電子メールを送信することになる。
【００７６】
携帯電話１の制御部１０３では、ステップ４０２の処理が終了した後、電子メール本文中に、コード“＠１１”と、それに続くパスワード“ｘｘｘｘ”とが記述されているか判断し（ステップ９０３）、コード“＠１１”およびパスワード“ｘｘｘｘ”が記述されていると判断した場合はステップ４０４の処理に移行し、記述されていないと判断した場合は処理を終了する。
【００７７】
さらに、制御部１０３では、ステップ４０６で電子メール本文中のメッセージ欄にメッセージ文章“ｚｚｚｚ”が記述されていると判断した場合、音声認識／音声合成部１１２により電子メール本文中に記述されているメッセージ文章“ｚｚｚｚ”を音声合成し、音声合成したメッセージ文章“ｚｚｚｚ”を本文としたものを音声の自動応答メッセージとして設定してＲＡＭ１０９に登録し、自動応答モードに移行し（ステップ９０７）、ステップ４０９の処理に移行する。なお、ステップ９０７の音声合成の方法については、本発明の本質的な部分ではなく、公知の方法を用いることができるため、説明は割愛する。
【００７８】
また、制御部１０３では、ステップ４０６で電子メール本文中のメッセージ欄にメッセージが記述されていないと判断した場合、ＲＡＭ１０９に予め登録されているデフォルトのメッセージ文章を本文としたものを音声の自動応答メッセージとして設定し、自動応答モードに移行し（ステップ９０８）、ステップ４０９の処理に移行する。
【００７９】
なお、携帯電話１に対し、自動応答モードでの着信に対する自動返信メールに記述する自動応答メッセージの文章を電子メールで送信する場合には、図４と同様の方法で設定すれば良い。
【００８０】
また、携帯電話１に対し、自動応答モードでの着信に対する音声の自動応答メッセージの文章を電話による音声で通知する場合には、図５のステップ５０３，５０７，５０８を図９のステップ９０３，９０７，９０８と略同様に変更すれば良い。ただし、この場合は、自動応答メッセージが音声で通知されるため、図９のステップ９０７で自動応答メッセージを音声合成する部分は省略し、音声で通知されたメッセージ文章を本文としたものを音声の自動応答メッセージとして設定しＲＡＭ１０９に登録することができる。
【００８１】
また、携帯電話１に対し、自動応答モードでの着信に対する自動返信メールに記述する自動応答メッセージの文章を電話による音声で通知する場合には、図５と同様の方法で設定すれば良い。
［自動応答モードでの着信時の詳細動作］
次に、自動応答モードでの着信時の動作について、図１０のフローチャートを参照して説明する。なお、図１０は、図８のステップ８１３をステップ１０１３に変更した点が図８とは異なり、それ以外は同様である。
【００８２】
携帯電話１の制御部１０３では、自動応答モードで音声通話を着信し、その音声通話の発信者の電子メールアドレスがステップ８１３でＲＡＭ１０９の電話帳に登録されていると判断した場合、当該音声通話の発信者に対して、ＲＡＭ１０９に登録されている音声の自動応答メッセージを流し、発信者の用件を録音する（ステップ１０１３）。
【００８３】
なお、自動応答モードで電子メールを着信した場合には、その電子メールの発信者の電子メールアドレスがＲＡＭ１０９の電話帳に登録されていることを条件に、図４と同様の方法で自動返信メールにより自動返信することになる。
【００８４】
【発明の効果】
以上説明したように本発明においては、電子メールまたは電話による音声で携帯電話に自動応答メッセージを設定し、携帯電話にて音声通話または電子メールの着信に対して自動応答メッセージにより自動応答するような構成としたため、携帯電話を自宅等に置き忘れた場合にも、外出先から自動応答メッセージを自由に設定することができるとともに、音声通話だけでなく電子メールの着信に対しても自動応答メッセージにより自動応答することができる。
【００８５】
そのため、携帯電話を自宅等に置き忘れた場合、その旨の情報や現在何処にいるか等の情報を自動応答メッセージとして携帯電話に設定すれば、これらの情報を発信者に対して通知することが可能であり、必要であれば自動応答メッセージの連絡先に連絡をお願いすることも可能である。また、発信者も電話をかけてつながらなくて困ることがなくなるため、発信者に迷惑がかかることもない。なお、外出先から移動する場合にはその都度自動応答メッセージを変更すれば良い。
【図面の簡単な説明】
【図１】本発明の携帯電話の自動応答システムの構成を示す図である。
【図２】本発明に係る携帯電話の構成を示すブロック図である。
【図３】本発明の第１の実施形態の概略動作を説明するイメージ図である。
【図４】本発明の第１の実施形態において、電子メールで携帯電話を自動応答モードに設定する時の動作を説明するフローチャートである。
【図５】本発明の第１の実施形態において、音声で携帯電話を自動応答モードに設定する時の動作を説明するフローチャートである。
【図６】本発明の第１の実施形態において、電子メールで携帯電話の自動応答モードを解除する時の動作を説明するフローチャートである。
【図７】本発明の第１の実施形態において、音声で携帯電話の自動応答モードを解除する時の動作を説明するフローチャートである。
【図８】本発明の第１の実施形態において、携帯電話が自動応答モードである状態で着信があった時の動作を説明するフローチャートである。
【図９】本発明の第２の実施形態において、電子メールで携帯電話を自動応答モードに設定する時の動作を説明するフローチャートである。
【図１０】本発明の第２の実施形態において、携帯電話が自動応答モードである状態で着信があった時の動作を説明するフローチャートである。
【符号の説明】
１    携帯電話
２    メッセージ設定部
２ａ    パーソナルコンピュータ
２ｂ    携帯電話
２ｃ    固定電話
１０１    アンテナ（ＡＮＴ）
１０２    無線部（ＴＲＸ）
１０３    制御部
１０４    キースイッチ
１０５    マイク
１０６    レシーバ
１０７    報知用スピーカ
１０８    ＲＯＭ
１０９    ＲＡＭ
１１０    ＬＣＤドライバ
１１１    カラーＬＣＤ
１１２    音声認識／音声合成部
【図１】
2004260416.tif 000003
【図２】
2004260416.tif 000004
【図３】
2004260416.tif 000005
【図４】
2004260416.tif 000006
【図５】
2004260416.tif 000007
【図６】
2004260416.tif 000008
【図７】
2004260416.tif 000009
【図８】
2004260416.tif 000010
【図９】
2004260416.tif 000011
【図１０】
2004260416.tif 000012